(57)【要約】      （修正有）【課題】壁の正面から調整可能な正面調整可能壁パネル取付装置を提供する。【解決手段】正面調整可能壁パネル取付装置１１０は、壁枠と連結するように構成された固定チャンネル（固定筐体１１２）と、壁パネル取付金具と連結するように構成された移動チャンネル（移動筐体１１４）とを有する。固定チャンネルおよび移動チャンネルは、互いに入れ子状となるように構成されている。壁パネルの傾きは、第１または第２調整ボルト１６６、１６８を回すことによって調整される。壁パネルの奥行きは、第１および第２の調整ボルトの両方を同じ方向に、かつ同じ量だけ回すことによって調整することができる。壁パネルの鉛直高さは、第３の調整ボルト１８２を回すことによって調整することができる。薄形レンチを壁パネルギャップに挿入し、調整ボルトと係合させて回すことができる。【選択図】図７
0003208938.tif 000002
【実用新案登録請求の範囲】
【請求項１】
固定チャンネル側部および固定チャンネル後部を備えた固定チャンネルにおいて、前記固定チャンネル側部が固定チャンネル中間スロット、固定チャンネル上部スロットおよび固定チャンネル下部スロットを有する固定チャンネルと、
移動チャンネル側部および移動チャンネル後部を備えた移動チャンネルにおいて、前記移動チャンネル側部が移動チャンネル上部スロット、移動チャンネル中間スロットおよび移動チャンネル下部スロットを有し、前記移動チャンネルが前記固定チャンネルと入れ子状となっている移動チャンネルと、
前記移動チャンネル後部に、摺動するように連結された取付板と、
上部バーねじ穴を備えた上部バーにおいて、前記固定チャンネル上部スロットおよび前記移動チャンネル上部スロットを通して挿入されている上部バーと、
下部バーねじ穴を備えた下部バーにおいて、前記固定チャンネル下部スロットおよび前記移動チャンネル下部スロットを通して挿入されている下部バーと、
前記固定チャンネル中間スロットおよび前記移動チャンネル中間スロットを通して挿入されている中間バーと、
第１のエンドプレート穴および第２のエンドプレート穴を有するエンドプレートと、
前記第１のエンドプレート穴を通して挿入され、前記上部バーねじ穴と係合している第１のボルトと、
前記第２のエンドプレート穴を通して挿入され、前記下部バーねじ穴と係合している第２のボルトと
を備えることを特徴とする壁パネルを取り付けるための装置。
【請求項２】
請求項１に記載の装置において、
前記移動チャンネル中間スロットが、前記移動チャンネル後部に平行な第１の寸法を有し、前記固定チャンネル中間スロットが、前記固定チャンネル後部に平行な第２の寸法を有し、前記第１の寸法および前記第２の寸法が、前記移動チャンネル中間スロットに挿入された前記中間バーの一部より大幅には大きくない
ことを特徴とする装置。
【請求項３】
請求項１に記載の装置において、
前記固定チャンネル上部スロットおよび前記固定チャンネル下部スロットが、前記固定チャンネル後部に平行であり、
前記移動チャンネル上部スロットおよび前記移動チャンネル下部スロットが、前記移動チャンネル後部に対して０度〜９０度の角度をなす
ことを特徴とする装置。
【請求項４】
請求項１に記載の装置において、
前記移動チャンネル上部スロットおよび前記移動チャンネル下部スロットが、前記移動チャンネル後部に平行であり、
前記固定チャンネル上部スロットおよび前記固定チャンネル下部スロットが、前記固定チャンネル後部に対して０度〜９０度の角度をなす
ことを特徴とする装置。
【請求項５】
請求項１に記載の装置において、
前記取付板が、
取付板エンドタブねじ穴を備えた取付板エンドタブを有し、
前記取付板エンドタブねじ穴と係合している第３のボルトをさらに備える
ことを特徴とする装置。
【請求項６】
請求項５に記載の装置において、
前記エンドプレートが、前記固定チャンネルに連結されており、
前記移動チャンネルが、移動チャネルエンドキャップ穴を備えた移動チャネルエンドキャップを有し、
前記第３のボルトが、前記移動チャネルエンドキャップ穴を通して挿入されている
ことを特徴とする装置。
【請求項７】
請求項５に記載の装置において、
前記エンドプレートが、前記移動チャンネルに連結されており、
前記エンドプレートが、第３のエンドプレート穴を有し、
前記第３のボルトが、前記第３のエンドプレート穴を通して挿入されている
ことを特徴とする装置。
【請求項８】
請求項１に記載の装置において、
前記移動チャンネル中間スロットが、前記移動チャンネル後部に平行な第１の寸法を有し、前記固定チャンネル中間スロットが、前記固定チャンネル後部に平行な第２の寸法を有し、前記第１の寸法および前記第２の寸法が、前記移動チャンネル中間スロットに挿入された前記中間バーの一部より大幅には大きくなく、
前記固定チャンネル上部スロットおよび前記固定チャンネル下部スロットが、前記固定チャンネル後部に平行であり、
前記移動チャンネル上部スロットおよび前記移動チャンネル下部スロットが、前記移動チャンネル後部に対して４５度の角度をなし、
前記取付板が、
取付板エンドタブねじ穴を備えた取付板エンドタブを有し、
前記取付板エンドタブねじ穴と係合している第３のボルトをさらに備え、
前記エンドプレートが、前記固定チャンネルに連結されており、
前記移動チャンネルが、移動チャネルエンドキャップ穴を備えた移動チャネルエンドキャップを有し、
前記第３のボルトが、前記移動チャネルエンドキャップ穴を通して挿入されている
ことを特徴とする装置。
【請求項９】
請求項１に記載の装置において、
前記移動チャンネル中間スロットが、前記移動チャンネル後部に平行な第１の寸法を有し、前記固定チャンネル中間スロットが、前記固定チャンネル後部に平行な第２の寸法を有し、前記第１の寸法および前記第２の寸法が、前記移動チャンネル中間スロットに挿入された前記中間バーの一部より大幅には大きくなく、
前記移動チャンネル上部スロットおよび前記移動チャンネル下部スロットが、前記移動チャンネル後部に平行であり、
前記固定チャンネル上部スロットおよび前記固定チャンネル下部スロットが、前記固定チャンネル後部に対して４５度の角度をなし、
前記取付板が、
取付板エンドタブねじ穴を備えた取付板エンドタブを有し、
前記取付板エンドタブねじ穴と係合している第３のボルトをさらに備え、
前記エンドプレートが、前記移動チャンネルに連結されており、
前記エンドプレートが、第３のエンドプレート穴を有し、
前記第３のボルトが、前記第３のエンドプレート穴を通して挿入されている
ことを特徴とする装置。
【請求項１０】
固定筐体後部を備えた固定筐体と、
移動筐体後部、移動筐体上端部および移動筐体下端部を備えた移動筐体において、前記固定筐体と入れ子状となっている移動筐体と、
前記移動筐体後部に、摺動するように連結された取付板と、
上部ライザーにおいて、鉛直に第１の方向に移動する場合には、前記移動筐体上端部を前記固定筐体後部の方に引っ張るように構成され、鉛直に第２の方向に移動する場合には、前記移動筐体上端部を前記固定筐体後部から遠ざけるように押すように構成された上部ライザーと、
下部ライザーにおいて、鉛直に第３の方向に移動する場合には、前記移動筐体下端部を前記固定筐体後部の方に引っ張るように構成され、鉛直に第４の方向に移動する場合には、前記移動筐体下端部を前記固定筐体後部から遠ざけるように押すように構成された下部ライザーと、
前記上部ライザーと係合し、前記上部ライザーを鉛直に移動させるように構成された第１のボルトと、
前記下部ライザーと係合し、前記下部ライザーを鉛直に移動させるように構成された第２のボルトと、
前記取付板と係合し、前記取付板を鉛直に移動させるように構成された第３のボルトと
を備えることを特徴とする壁パネルを取り付けるための装置。
【請求項１１】
請求項１０に記載の装置において、
前記固定筐体が、構造物上に取り付けられるように構成され、
前記取付板が、それに取り付けられた壁パネルを有するように構成されている
ことを特徴とする装置。
【請求項１２】
請求項１０に記載の装置において、
前記第１の方向および前記第３の方向が上向きであり、
前記第２の方向および前記第４の方向が下向きである
ことを特徴とする装置。
【請求項１３】
請求項１０に記載の装置において、
前記第１の方向および前記第３の方向が下向きであり、
前記第２の方向および前記第４の方向が上向きである
ことを特徴とする装置。
【請求項１４】
請求項１０に記載の装置において、
前記第１の方向および前記第４の方向が下向きであり、
前記第２の方向および前記第３の方向が上向きである
ことを特徴とする装置。
【請求項１５】
請求項１０に記載の装置において、
前記第１の方向および前記第４の方向が上向きであり、
前記第２の方向および前記第３の方向が下向きである
ことを特徴とする装置。
【請求項１６】
請求項１０に記載の装置において、
第１のエンドプレート穴、第２のエンドプレート穴および第３のエンドプレート穴を有するエンドプレートをさらに備え、前記エンドプレートが、前記移動筐体に連結されており、
前記第１のボルトが前記第１のエンドプレート穴を通して挿入され、前記第２のボルトが前記第２のエンドプレート穴を通して挿入され、前記第３のボルトが前記第３のエンドプレート穴を通して挿入されている
ことを特徴とする装置。
【請求項１７】
壁パネルを取り付けるための装置の製造方法であって、明細書の実質的に記載されている方法。
【考案の詳細な説明】
【技術分野】
【０００１】
関連出願の相互参照
本出願は、２０１２年８月２９日付けで出願された米国仮特許出願第６１／６９４，７１３号明細書および２０１３年３月２６日付けで出願された米国仮特許出願第６１／８０５，４７０号明細書の利益ならびに優先権を主張するものであり、両内容を参照により本明細書に援用する。
【０００２】
本考案は、壁取付システムに関する。より詳細には、本考案は、壁パネルを取り付けるための装置に関する。
【背景技術】
【０００３】
装飾ファサード壁は、建物の外観を向上させるためにしばしば使用される。ファサードには、大理石、スレート、金属、木材またはレザーなどの多様な材料が使用され得る。装飾ファサード壁は、複数の壁要素またはパネルからなることが多い。パネルの寸法は、典型的には壁全体の寸法より小さい。寸法がより小さいことにより、パネルの輸送、保管、取扱いおよび取付けがより簡単になる。また、パネルが破損した場合、壁全体ではなく、そのパネルを取り替えるだけでよい。
【０００４】
装飾ファサード壁を作る一方法は、まず非装飾壁を作り、次いで接着剤で装飾パネルを取り付けるものである。この方法は、モザイクを作る場合など、非常に小さく（約１インチ未満）、軽い壁パネルと共に用いられることが多い。しかしながらこの方法は、金属または石などのより重い材料のより大きい（約６インチ以上）パネルにはあまり適さない。接着剤によって保持されたパネルは、恐らく完全に信頼することはできず、パネルの落下は安全上の危険になり得る。また、大きいパネルと下層の非装飾壁との表面形状が完全に合う可能性が低く、その結果、１つのパネルから別のパネルまでが凹凸面になる。より大きいパネルでは、このことがはるかにより顕著になる。
【０００５】
より重いパネルで装飾ファサード壁を作るためのより一般的な方法は、枠壁を作り、次いで枠壁にパネルを掛けるものである。枠壁は、典型的には金属からなるが、他の適切な材料からなってもよい。通常、美観のために、パネルを枠に取り付けるための手段は壁の正面から容易に見えないことが大変望ましい。したがって各パネルは通常、パネルを枠に取り付けることができる、パネルの後部に取り付けられたパネル取付金具を有する。金属パネルは典型的に、パネルの後部に溶接またはボルト締めされたパネル取付金具を有する。石パネルはしばしば、パネルの後部の中を途中まで開けた穴と、穴にセットされた開きボルトによって取り付けられたパネル取付金具とを有する。
【０００６】
パネル取付金具および／または枠は、典型的に、各パネルの位置および／または向きを調整するいくつかの手段を有する。例えばパネル取付金具は、枠中のねじナットと係合する、パネル中にセットされたねじボルトであり得るであろう。パネルの位置および／向きを調整するために、ねじナットの選択的な調整を用いることができる。しかしながら、この場合、調整を行う技術者はファサード壁の後ろにいなければならない。これは、技術者が作業するためのファサード壁背面へのアクセスがなければならないことを意味する。このアクセスを設けることは、多くの状況において非効率な空間利用である。また、隣接するパネルの正面とどのようにパネルの正面が一致しているかを確かめずに調整の効果を決定することは、調整を行う技術者にとって困難である。技術者が前後に走らなければならないか、技術者に調整の効果を報告する第２の人物が必要となるかのどちらかである。
【考案の概要】
【０００７】
壁パネルを枠に取り付けて、パネルの位置および／または向きの調整をパネルの正面から行うことができる装置が必要とされている。
【０００８】
本考案について、添付図面に示す限定的でない例示的実施形態で説明し、添付図面中の同様の参照符号は、同様の要素を示す。
【０００９】
本明細書に援用され、その一部を構成する添付図面は、壁パネル取付システムの１つまたは複数の実施形態を示し、詳細な説明と共に、本考案の原理および実施態様を説明することに役立つ。
【図面の簡単な説明】
【００１０】
【図１】図１は、壁の正面から調整可能な壁パネル取付装置における第１の実施形態の分解図である。
【図２】図２は、正面調整可能壁パネル取付装置における第１の実施形態の分解していない図である。
【図３】図３は、正面調整可能壁パネル取付装置における第１の実施形態が、どのように壁パネル取付金具と連結するかを示す詳細図である。
【図４】図４は、壁パネル取付金具の傾き、奥行きおよび鉛直高さをどのように調整することができるかを示す、壁パネル取付金具と連結された正面調整可能壁パネル取付装置における第１の実施形態の図である。
【図５】図５は、壁パネル取付装置における第１の実施形態をどのように壁の正面から調整することができるかを示す、壁の正面図である。
【図６】図６は、壁パネル取付装置における第１の実施形態をどのように壁の正面から調整することができるかを示す、壁の背面図である。
【図７】図７は、壁の正面から調整可能な壁パネル取付装置における第２の実施形態の分解図である。
【考案を実施するための形態】
【００１１】
主題の考案の詳細な説明を始める前に、以下について述べることがふさわしい。適切な場合、異なる図における同一の構成要素、対応する構成要素、または同様の構成要素を指定するために、同様の参照資料および参照文字を使用する。本開示に関連する図は典型的に、縮尺通りに正確な寸法で描いておらず、すなわち、そのような図面は寸法の正確さよりも見て理解することの明確さに焦点をおいて描いている。
【００１２】
説明を明瞭にするため、本明細書に記載する実施態様の通常の特徴すべてを図示および説明しているわけではない。言うまでもなく、任意のそのような実際の実施態様を開発する際には、用途およびビジネスに関する制約の遵守など開発者の特定の目標を達成するために実施態様特有の多くの決定を行わなければならないこと、ならびに、これらの特定の目標は、実施態様および開発者によって異なることが理解される。さらに、そのような開発努力は複雑で時間を要する可能性があるが、本開示の利益を得る当業者にとって通常の技術業務になるであろうことが理解される。
【００１３】
「上部」、「下部」、「上に」、「下に」、「前に」「後ろに」などの方向を表す用語の使用は、様々な図に示すような本考案の様々な構成要素の互いに対する位置および／または向きを説明するためのものであり、参照外の任意の基準点に対する本考案の任意の実施形態における任意の位置および／または向きに制限を課すものではない。
【００１４】
第１の実施形態
図１〜図６は、正面調整可能壁パネル取付装置１０における第１の実施形態の構造および使用を示す。図１は、正面調整可能壁パネル取付装置１０の分解図である。図２は、図１の正面調整可能壁パネル取付装置１０の分解していない図である。正面調整可能壁パネル取付装置１０は、固定チャンネル１２、移動チャンネル１４、および取付板４２を備える。固定チャンネル１２は、壁枠（図示せず）または同様の構造物に連結されるように構成され、取付板４２は、壁パネル８８（図５および図６参照）に連結されるように構成される。
【００１５】
固定チャンネル１２は、２つの固定チャンネル側部１６、固定チャンネル後部１８、およびその上端部にある固定チャンネルエンドプレート２０を有する。固定チャンネル１２は、２つの固定チャンネル側部１６のそれぞれに、固定チャンネル上部スロット２２および固定チャンネル下部スロット２４を有する。固定チャンネル上部スロット２２および固定チャンネル下部スロット２４は、固定チャンネル後部１８に平行である。各固定チャンネル側部１６のほぼ中央には、固定チャンネル中間穴２６が存在する。第１の実施形態ではチャンネル中間穴２６は円形であるが、他の実施形態ではそれらは他の形状であってもよい。実施形態によっては、固定チャンネル中間穴２６は、固定チャンネル後部１８に垂直なスロットである。
【００１６】
移動チャンネル１４は、２つの移動チャンネル側部３０、移動チャンネル後部３２、およびその上端部にある移動チャネルエンドキャップ３４を有する。２つの移動チャンネル側部３０のそれぞれは、移動チャンネル上部スロット３６、移動チャンネル中間スロット４０、および移動チャンネル下部スロット３８を有する。移動チャンネル上部スロット３６は、移動チャンネル後部３２に対して０度〜９０度の角度をなす。移動チャンネル下部スロット３８は、移動チャンネル後部３２に対して０度〜９０度の角度をなす。図１〜図２に示す実施形態では、移動チャンネル上部スロット３６の角度と移動チャンネル下部スロット３８の角度とは同じ大きさ（４５°）および向きを有するが、他の実施形態では、異なる大きさおよび／または向きを有してもよい。移動チャンネル中間スロット４０は、移動チャンネル後部３２に垂直である。
【００１７】
移動チャンネル１４および固定チャンネル１２は、互いに入れ子状となるように構成される。図１〜図２の実施形態では、固定チャンネル１２は移動チャンネル１４内で入れ子状となるように構成される。他の実施形態では、移動チャンネル１４は固定チャンネル１２内で入れ子状となるように構成される。
【００１８】
上部バー５２は、固定チャンネル上部スロット２２および移動チャンネル上部スロット３６を通して配置される。図１〜図２に示す実施形態では、上部バー５２は、上部バーブロック５４および２つの上部バーボルト５６を備える。上部バーブロック５４は、固定チャンネル１２内で入れ子状となっており、上部バーボルト５６は、固定チャンネル上部スロット２２および移動チャンネル上部スロット３６を貫通して、上部バーブロック５４と連結する。他の実施形態では、上部バー５２は一体部品である。上部バー５２は、上部バーねじ穴５８および上部バーねじなし穴６０を有する。第１の調整ボルト６６は、固定チャネルエンドプレート２０の第１のねじなし穴６２を貫通し、上部バーねじ穴５８と係合する。
【００１９】
少なくとも１つの中間バー７０は、固定チャンネル中間穴２６の少なくとも１つ、および移動チャンネル中間スロット４０の少なくとも１つを通して配置される。図１〜図２に示す実施形態では、ボルトまたはリベットの形の２つの中間バー７０が存在する。
【００２０】
下部バー７２は、固定チャンネル下部スロット２４および移動チャンネル下部スロット３８を通して配置される。図１〜図２に示す実施形態では、下部バー７２は、下部バーブロック７４および２つの下部バーボルト７６を備える。下部バーブロック７４は、固定チャンネル１２内で入れ子状となっており、下部バーボルト７６は、固定チャンネル下部スロット２４および移動チャンネル下部スロット３８を貫通して、下部バーブロック７４と連結する。他の実施形態では、下部バー７２は一体部品である。下部バー７２は、下部バーねじ穴７８および下部バーねじなし７２穴８０を有する。第２の調整ボルト６８は、固定チャネルエンドプレート２０の第２のねじなし穴６４を貫通し、上部バーねじなし穴６０を貫通し、下部バーねじ穴７８と係合する。第１の調整ボルト６６は下部バーねじなし穴８０を貫通してもよいが、他の実施形態では、第１の調整ボルト６６はより短く、下部バー７２まで延在せず、下部バー７２は下部バーねじなし穴８０を有していなくてもよい。
【００２１】
第１の調整ボルト６６および第２の調整ボルト６８はどちらも調整ボルトカラー９４を有し、各調整ボルトカラー９４は、第１の調整ボルト６６および第２の調整ボルト６８が固定チャネルエンドプレート２０に対して鉛直に移動しないように、固定チャネルエンドプレート２０の下でそれぞれの調整ボルト上に配置される。
【００２２】
取付板４２は、その上端部に取付板エンドタブ４４を有する。取付板４２は、取付板上部スロット４６および取付板下部スロット４８を有する。取付板エンドタブ４４は、移動チャンネル１４の移動チャンネル上部開口部１００に挿入するように構成される。取付板４２は、２つの取付板ボルト９６で移動チャンネル１４に連結され、一方の取付板ボルト９６は取付板上部スロット４６を貫通し、他方の取付板ボルト９６は取付板下部スロット４８を貫通する。移動チャンネル１４は、１つまたは複数の移動チャンネル後部ねじ穴９８を有する。取付板ボルト９６は、移動チャンネル後部ねじ穴９８と係合し、移動チャンネル１４に対して取付板４２を保持するが、取付板４２は移動チャンネル１４に対して鉛直に摺動することができる。
【００２３】
取付板４２は、壁パネル８８の後部上の任意の壁パネル取付金具８４に連結するように構成されている１つまたは複数の取付板ブラケット５０を有する。図１〜図２に示す実施形態では、１つまたは複数の取付板ブラケット５０は、取付金具ペグ８６と連結するように形作られたフックである。他の実施形態では、１つまたは複数の取付板ブラケット５０は、異なる形状、および壁パネル取付金具８４と連結する異なる様式を有してもよい。
【００２４】
移動チャネルエンドキャップ３４は移動チャネルエンドキャップねじなし穴９０を有し、取付板エンドタブ４４は取付板エンドタブねじ穴９２を有する。第３の調整ボルト８２は、移動チャネルエンドキャップねじなし穴９０を貫通し、取付板エンドタブ４４のねじ穴と係合する。第３の調整ボルト８２は、第３の調整ボルト８２が移動チャネルエンドキャップ３４に対して鉛直に移動しないように、移動チャネルエンドキャップ３４の下で調整ボルト上に配置された調整ボルトカラー９４を有する。
【００２５】
図４は、壁パネル取付金具の傾き、奥行きおよび鉛直高さをどのように調整することができるかを示す、壁パネル取付金具８４と連結された正面調整可能壁パネル取付装置１０の図である。壁パネル８８（図５および図６参照）の壁パネル取付金具８４に連結され、正面調整可能壁パネル取付装置１０によって保持された壁パネル８８の傾き、奥行きおよび鉛直高さは、調整ボルト（６６、６８、８２）を回すことによって調整することができる。壁パネル８８の傾きは、第１または第２の調整ボルト（６６、６８）を回すことによって調整される。第１の調整ボルト６６を回すことで、ねじ切方向および第１の調整ボルト６６を回す方向に応じて、上部バー５２が上下に移動する。第１の調整ボルト６６を一方向に回すことで、上部バー５２が固定チャンネル上部スロット２２および移動チャンネル上部スロット３６内で上方に移動する。移動チャンネル中間スロット４０内の中間バー７０により、移動チャンネル１４は鉛直に移動しない。これにより、移動チャンネル１４は下部バー７２を中心に枢動し、移動チャンネル１４の上端部は強制的に固定チャンネル１２から遠ざかるように傾く。第１の調整ボルト６６を他方向に回すことで、上部バー５２は下方に移動し、移動チャンネル１４の上端部は固定チャンネル１２の方により傾く。
【００２６】
第２の調整ボルト６８を回すことで、ねじ切方向および第２の調整ボルト６８を回す方向に応じて、下部バー７２が上下に移動する。第２の調整ボルト６８を一方向に回すことで、下部バー７２が固定チャンネル下部スロット２４および移動チャンネル下部スロット３８内で上方に移動する。移動チャンネル中間スロット４０内の中間バー７０によりまた、移動チャンネル１４は鉛直に移動しない。これにより、移動チャンネル１４は上部バー５２を中心に枢動し、移動チャンネル１４の下端部は強制的に固定チャンネル１２から遠ざかるように傾く。第２の調整ボルト６８を他方向に回すことで、下部バー７２は下方に移動し、移動チャンネル１４の下端部は固定チャンネル１２の方により傾く。
【００２７】
チャンネル中間穴２６および移動チャンネル中間スロット４０は、チャンネル中間穴２６および移動チャンネル中間スロット４０に挿入されている中間バー７０、または中間バー７０の少なくとも一部の高さよりわずかに大きい鉛直高さにおいて、移動チャンネル１４が枢動する時に、中間バー７０が上部バー５２または下部バー７２のいずれかの周りを弧状に移動することがぎりぎりできるほどの大きさであるが、移動チャンネル１４が固定チャンネル１２に対して著しく鉛直に移動することができるほど大きくない鉛直高さを有する。
【００２８】
正面調整可能壁パネル取付装置１０によって保持された壁パネル８８の奥行きは、上部バー５２および下部バー７２の両方を同じ方向に、かつ同じ量だけ移動させるように、第１の調整ボルト６６および第２の調整ボルト６８の両方を回すことによって調整することができる。これにより、壁パネル８８の奥行きは変わるが、傾きの量は同じままである。しかしながら、これによってまた、壁パネル８８が鉛直に移動する。
【００２９】
壁パネル８８の鉛直高さは、第３の調整ボルト８２を回すことによって調整することができる。第３の調整ボルト８２を回すことで、ねじ切方向および第３の調整ボルト８２を回す方向に応じて、取付板４２が移動チャンネル１４に対して上下に移動する。
【００３０】
図５および図６は、正面調整可能壁パネル取付装置１０をどのように壁の正面から調整することができるかを示す。壁パネル８８は、隣接する壁パネル８８間に壁パネルギャップ１０４が存在するように、間隔を取って調整可能壁パネル取付装置１０上に取り付けられる。薄形レンチ１０２を壁パネルギャップ１０４に挿入し、調整ボルト（６６、６８および８２）と係合させて回すことができる。壁パネル８８を所望の通り調整したら、所望の場合、壁パネルギャップ１０４を脱着可能もしくは永久のコーキング剤または充填剤で充填することができる。
【００３１】
第２の実施形態
図７は、正面調整可能壁パネル取付装置１１０における第２の実施形態を示す。いくつかの構造的な違いはあるが、この第２の実施形態は、第１の実施形態と同様に機能する。
【００３２】
第２の実施形態の正面調整可能壁パネル取付装置１１０は、固定筐体１１２、移動筐体１１４、および取付板１４２を備える。固定筐体１１２は壁枠（図示せず）に固定されるように構成され、取付板１４２は壁パネル（図示せず）に連結されるように構成される。
【００３３】
移動筐体１１４および固定筐体１１２（第１の実施形態では、チャンネルと呼ぶ）は、第１の実施形態（図１〜図６）とは逆の方法で入れ子状となっている。第２の実施形態では、固定チャンネル１２が移動チャンネル１４内で入れ子状となるように構成されている第１の実施形態の配置（図１〜図２参照）ではなく、移動筐体１１４が固定筐体１１２の内部に収まっている。第２の実施形態では、第１の実施形態での移動チャンネル１４の代わりに、固定筐体１１２が角度のあるスロットを有する。
【００３４】
固定筐体１１２は、２つの固定筐体側部１１６、および固定筐体後部１１８を有する。固定筐体１１２は、２つの固定筐体側部１１６のそれぞれに、固定筐体上部スロット１３６および固定筐体下部スロット１３８を有する。各固定筐体側部１１６のほぼ中央には、固定筐体中間スロット１４０が存在する。固定筐体１１２は、壁枠に取り付けやすくするために、長穴２０６を備えたフランジ２０５を両側に有する。しかしながら他の実施形態では、フランジ２０５が異なって構成されてもよく、または固定筐体１１２が、壁枠に取り付けやすくするための異なる構造を有してもよい。
【００３５】
固定筐体上部スロット１３６は、固定筐体後部１１８に対して０度〜９０度の角度をなす。固定筐体下部スロット１３８は、固定筐体後部１１８に対して０度〜９０度の角度をなす。図７に示す実施形態では、固定筐体上部スロット１３６の角度と固定筐体下部スロット１３８の角度とは同じ大きさ（４５°）および向きを有するが、他の実施形態では、異なる大きさおよび／または向きを有してもよい。固定筐体中間スロット１４０は、固定筐体後部１１８に垂直である。
【００３６】
移動筐体１１４は、２つの移動筐体側部１３０、移動筐体後部１３２、およびその上端のある移動筐体エンドプレート１３４を有する。２つの移動筐体側部１３０内のそれぞれの移動筐体１１４は、移動筐体上部スロット１２２、移動筐体中間穴１２６、および移動筐体下部スロット１２４を有する。移動筐体上部スロット１２２および移動筐体下部スロット１２４は、移動筐体後部１３２に平行である。第２の実施形態では、移動筐体中間穴１２６は円形であるが、他の実施形態では他の形状であってもよい。実施形態によっては、移動筐体中間穴１２６は、移動筐体後部１３２に垂直なスロットである。
【００３７】
移動筐体１１４および固定筐体１１２は、互いに入れ子状となるように構成される。第２の実施形態では、固定筐体１１２は移動筐体１１４内で入れ子状となるように構成される。他の実施形態では、移動筐体１１４は固定筐体１１２内で入れ子状となるように構成されてもよい。
【００３８】
上部ライザー１５２は、固定筐体上部スロット１３６および移動筐体上部スロット１２２を通して配置される。第２の実施形態では、上部ライザー１５２は、上部ライザーブロック１５４および２つの上部ライザーボルト１５６を備える。他の実施形態では、上部ライザー１５２は一体部品であってもよい。上部ライザーブロック１５４は、移動筐体１１４内で入れ子状となっている。上部ライザーボルト１５６は、固定筐体上部スロット１３６および移動筐体上部スロット１２２を貫通して、上部ライザーブロック１５４と連結する。上部ライザー１５２は上部ライザーねじ穴１５８を有し、第２の実施形態では、上部ライザーねじ穴１５８は上部ライザーブロック１５４内にある。第１の調整ボルト１６６は、第１のエンドプレートねじなし穴１６２を貫通し、上部ライザーねじ穴１５８と係合する。
【００３９】
下部ライザー１７２は、固定筐体下部スロット１３８および移動筐体下部スロット１２４を通して配置される。第２の実施形態では、下部ライザー１７２は、下部ライザーブロック１７４および２つの下部ライザーボルト１７６を備える。下部ライザーブロック１７４は、移動筐体１１４内で入れ子状となっており、下部ライザーボルト１７６は、固定筐体下部スロット１３８および移動筐体下部スロット１２４を貫通して、下部ライザーブロック１７４と連結する。他の実施形態では、下部ライザー１７２は一体部品である。下部ライザー１７２は、下部ライザーねじ穴１７８を有する。第２の調整ボルト１６８は、第２のエンドプレートねじなし穴１６４を貫通し、上部ライザー１５２を介さず、下部ライザーねじ穴１７８と係合する。
【００４０】
第１の調整ボルト１６６および第２の調整ボルト１６８はどちらも調整ボルトカラー１９４を有し、各調整ボルトカラー１９４は、第１の調整ボルト６６および第２の調整ボルト６８が移動筐体エンドプレート１３４に対して鉛直に移動しないように、移動筐体エンドプレート１３４の下でそれぞれの調整ボルト上に配置される。
【００４１】
第２の実施形態では、調整ボルトを貫通させるためのねじなし穴を有するのではなく、調整ボルトのうちの１つがそばを通るように上部ライザーブロック１５４および下部ライザーブロック１７４が形作られるという点を除き、第２の実施形態では、上部ライザーブロック１５４および下部ライザーブロック１７４は、第１の実施形態の上部バーブロック５４および下部バーブロック７４に類似している。第２の実施形態では、上部ライザーブロック１５４および下部ライザーブロック１７４は特注プラスチック成形部品であるが、他の実施形態では、他の適切な材料からなり、他の方法によって作られてもよい。
【００４２】
１つまたは複数の中間バー１７０は、固定筐体中間スロット１４０の少なくとも１つ、および移動筐体中間穴１２６の少なくとも１つを通して配置される。第２の実施形態では、移動筐体中間穴１２６のねじ切部と連結するねじ切ボルトの形の２つの中間バー１７０が存在する。他の実施形態では、中間バー１７０はリベットであり、移動筐体中間穴１２６はねじ切りされていない。
【００４３】
第１の実施形態と異なり、第２の実施形態の調整ボルトは、調整ボルトが移動筐体エンドプレート１３４に対して鉛直に移動しないように、移動筐体エンドプレート１３４の下に調整ボルトカラーを有していない。代わりに、調整ボルトが移動筐体エンドプレート１３４に対して鉛直に移動しないように、調整可能壁パネル取付装置１１０の様々な部分にかかる下方に引っ張る重力が利用される。
【００４４】
取付板１４２は、その上端部にある取付板エンドタブ１４４を有する。取付板１４２は、取付板上部スロット１４６および取付板下部スロット１４８を有する。取付板エンドタブ１４４は、移動筐体上部開口部２００に挿入するように構成される。取付板１４２は、２つの取付板ボルト１９６で移動筐体１１４に連結され、一方の取付板ボルト１９６は取付板上部スロット１４６を貫通し、他方の取付板ボルト１９６は取付板下部スロット１４８を貫通する。取付板ボルト９６は、２つの移動筐体ねじ穴１９８と係合し、移動筐体１１４に対して取付板１４２を保持するが、取付板１４２は移動筐体１１４に対して鉛直に摺動することができる。
【００４５】
第１の実施形態と異なり、第２の実施形態では、取付板１４２は、それから突出するフックを有していない。これにより、壁パネルを取付板１４２に固定するための様々な転び止めの選択肢が可能になる。
【００４６】
移動筐体エンドプレート１３４は第３のエンドプレートねじなし穴１９０を有し、取付板エンドタブ１４４はエンドタブねじ穴１９２を有する。第３の調整ボルト１８２は、第３のエンドプレートねじなし穴１９０を貫通し、エンドタブねじ穴１９２と係合する。第３の調整ボルト１８２は、第３の調整ボルト１８２が移動筐体エンドキャップ１３４に対して鉛直に移動しないように、移動筐体エンドキャップ１３４の下で調整ボルト上に配置された調整ボルトカラー１９４を有する。
【００４７】
第２の実施形態の調整可能壁パネル取付装置１１０は、取付板１４２に取り付けられた壁パネル（図示せず）の傾き、奥行きおよび鉛直高さを調整することができる。壁パネルの傾き、奥行きおよび鉛直高さは、調整ボルト（１６６、１６８および１８２）を回すことによって調整することができる。壁パネルの傾きは、第１または第２の調整ボルト（１６６、１６８）を回すことによって調整される。第１の調整ボルト１６６を回すことで、ねじ切方向および第１の調整ボルト１６６を回す方向に応じて、上部ライザー１５２が上下に移動する。第１の調整ボルト１６６を一方向に回すことで、上部ライザー１５２が固定筐体上部スロット１３６および移動筐体上部スロット１２２内で上方に移動する。移動筐体中間穴１２６内の中間バー１７０により、移動筐体１１４は鉛直に移動しない。これにより、移動筐体１１４は下部ライザー１７２を中心に枢動し、移動筐体１１４の上端部は強制的に固定筐体１１２の方に移動する。第１の調整ボルト１６６を他方向に回すことで、上部ライザー１５２は下方に移動し、移動筐体１１４の上端部は固定筐体１１２から遠ざかるように移動する。
【００４８】
第２の調整ボルト１６８を回すことで、ねじ切方向および第２の調整ボルト１６８を回す方向に応じて、下部ライザー１７２が上下に移動する。第２の調整ボルト１６８を一方向に回すことで、下部ライザー１７２が、固定筐体下部スロット１３８および移動筐体下部スロット１２４内で上方に移動する。移動筐体中間穴１２６内の中間バー１７０によりまた、移動筐体１１４は鉛直に移動しない。これにより、移動筐体１１４は上部ライザー１５２を中心に枢動し、移動筐体１１４の下端部は強制的に固定筐体１１２の方に移動する。第２の調整ボルト１６８を他方向に回すことで、下部ライザー１７２は下方に移動し、移動筐体１１４の下端部は固定筐体１１２から遠ざかる。
【００４９】
移動筐体中間穴１２６および固定筐体中間スロット１４０は、移動筐体中間穴１２６および移動筐体中間スロット１４０に挿入されている中間バー１７０、または中間バー１７０の少なくとも一部の高さよりわずかに大きい鉛直高さにおいて、移動筐体１１４が枢動する時に、中間バー１７０が上部ライザー１５２または下部ライザー１７２のいずれかの周りを弧状に移動することがぎりぎりできるほどの大きさであるが、移動筐体１１４が固定移動筐体１１２に対して著しく鉛直に移動することができるほど大きくない鉛直高さを有する。
【００５０】
取付板１４２に取り付けられた壁パネルの奥行きは、上部ライザー１５２および下部ライザー１７２の両方を同じ方向に、かつ同じ量だけ移動させるように、第１の調整ボルト１６６および調整ボルト１６８の両方を回すことによって調整することができる。これにより、取り付けられた壁パネルの奥行きは変わるが、傾きの量は同じままである。しかしながら、これによってまた、壁パネルが鉛直に移動する。
【００５１】
取付板１４２に取り付けられた壁パネルの鉛直高さは、第３の調整ボルト１８２を回すことによって調整することができる。第３の調整ボルト１８２を回すことで、ねじ切方向および第３の調整ボルト１８２を回す方向に応じて、取付板１４２が移動筐体１１４に対して上下に移動する。
【００５２】
当業者であれば、実用新案登録請求する本考案の範囲から逸脱することなく、好ましい実施形態に多くの修正および変更を行ってもよいことを認識する。言うまでもなく、本考案の修正は、その様々な態様において当業者に明らかであり、検討後にのみ明らかとなる修正もあれば、通常の機械的、化学的かつ電子的な設計の問題に関する修正もあることが理解される。好ましい実施形態の特徴、機能または特性は、１つも不可欠ではない。他の実施形態が可能であり、それらの特定の設計は個々の用途に依存する。そのため、本考案の範囲は、本明細書に記載の特定の実施形態によって限定されるべきではなく、添付の実用新案登録請求の範囲およびその等価物によってのみ定義されるべきである。
【図１】
0003208938.tif 000003
【図２】
0003208938.tif 000004
【図３】
0003208938.tif 000005
【図４】
0003208938.tif 000006
【図５】
0003208938.tif 000007
【図６】
0003208938.tif 000008
【図７】
0003208938.tif 000009
【手続補正書】
【提出日】平成28年12月14日(2016.12.14)
【手続補正１】
【補正対象書類名】実用新案登録請求の範囲
【補正対象項目名】全文
【補正方法】変更
【補正の内容】
【実用新案登録請求の範囲】
【請求項１】
壁パネルを取り付けるための装置であって、
固定筐体後部を備えた固定筐体と、
移動筐体後部、移動筐体上端部および移動筐体下端部を備えた移動筐体であって、前記移動筐体後部が前記装置の前部に面し、前記固定筐体後部が前記装置の後部に面するように、前記固定筐体に少なくとも部分的に入れ子状となっている移動筐体と、
前記移動筐体後部に、摺動するように連結された取付板と、
上部ライザーであって、鉛直に第１の方向に移動する場合には、前記移動筐体上端部を前記装置の後部の方に移動させるように構成され、鉛直に第２の方向に移動する場合には、前記移動筐体上端部を前記装置の前部の方に移動させるように構成された上部ライザーと、
下部ライザーであって、鉛直に第３の方向に移動する場合には、前記移動筐体下端部を前記装置の後部の方に移動させるように構成され、鉛直に第４の方向に移動する場合には、前記移動筐体下端部を前記装置の前部の方に移動させるように構成された下部ライザーと、
前記上部ライザーと係合し、前記上部ライザーを鉛直に移動させるように構成された第１の調整部材と、
前記下部ライザーと係合し、前記下部ライザーを鉛直に移動させるように構成された第２の調整部材と、
前記取付板と係合し、前記取付板を鉛直に移動させるように構成された第３の調整部材と
を備えることを特徴とする装置。
【請求項２】
請求項１に記載の装置において、
前記固定筐体が、構造物上に取り付けられるように構成され、
前記取付板が、それに取り付けられた壁パネルを有するように構成されている
ことを特徴とする装置。
【請求項３】
請求項１に記載の装置において、
前記第１の方向および前記第３の方向が上向きであり、
前記第２の方向および前記第４の方向が下向きである
ことを特徴とする装置。
【請求項４】
請求項１に記載の装置において、
第１のエンドプレート穴、第２のエンドプレート穴および第３のエンドプレート穴を有するエンドプレートをさらに備え、前記エンドプレートが、前記移動筐体に連結されており、
前記第１の調整部材が前記第１のエンドプレート穴を通して挿入され、前記第２の調整部材が前記第２のエンドプレート穴を通して挿入され、前記第３の調整部材が前記第３のエンドプレート穴を通して挿入されている
ことを特徴とする装置。
【請求項５】
壁パネルを壁枠に取り付けるための装置であって、
前記壁枠に取り付けられるよう構成され、共同してチャネルを規定する２つの固定筐体側部と固定筐体後部とを備える固定筐体と、
２つの移動筐体側部、移動筐体後部、移動筐体上端部および移動筐体下端部を備えた移動筐体であって、前記移動筐体の少なくとも一部が前記固定筐体によって規定された前記チャネル内に配置される移動筐体と、
前記移動筐体の前側に取り付けられ、前記壁パネルに連結されるよう構成された取付板と、
上部ライザーであって、第１の方向に移動する場合には、前記移動筐体上端部を前記固定筐体後部によって規定された面の方に移動させるように構成され、第２の方向に移動する場合には、前記移動筐体上端部を前記固定筐体後部によって規定された面から離れるように移動させるよう構成された上部ライザーと、
前記上部ライザーを前記第１および第２の方向に移動させるように構成された上部ライザー調整部材と、
前記取付板を前記移動筐体に対して上下に移動させるように構成された取付板調整部材と
を備えることを特徴とする装置。
【請求項６】
請求項５に記載の装置において、さらに、
下部ライザーであって、第３の方向に移動する場合には、前記移動筐体下端部を前記固定筐体後部によって規定された面の方に移動させるように構成され、前記第４の方向に移動する場合には、前記移動筐体下端部を前記固定筐体後部によって規定された面から離れるように移動させるよう構成された下部ライザーと、
前記下部ライザーを前記第３および第４の方向に移動させるように構成された下部ライザー調整部材と
を備えることを特徴とする装置。
【請求項７】
請求項５に記載の装置において、前記取付板が、前記取付板から延在し前記壁パネルに係合するよう構成された１以上のフック型の取付ブラケットを備えることを特徴とする装置。
【請求項８】
請求項７に記載の装置において、前記１以上のフック型の取付ブラケットは、一対の取付ブラケットを備えることを特徴とする装置。
【請求項９】
請求項５に記載の装置において、前記固定筐体は、両方の固定筐体側部から延在するフランジを備え、当該フランジは前記固定筐体を前記壁枠に取り付けやすくするための穴を備えることを特徴とする装置。
【請求項１０】
請求項５に記載の装置において、前記移動筐体は第１のエンドプレートを備え、前記上部ライザー調整部材が前記第１のエンドプレートのねじなし穴を貫通し、前記上部ライザーと係合することを特徴とする装置。
【請求項１１】
壁パネルを壁枠に取り付けるための装置であって、
前記壁枠に固定されるよう構成され、共同してチャネルを規定する２つの固定筐体側部と固定筐体後部とを備える固定筐体と、
少なくとも部分的に前記チャネル内に配置される移動筐体と、
前記移動筐体に取り付けられ、前記壁パネルに連結されるよう構成された取付板と、
上部ライザーであって、第１の方向に移動する場合には、前記移動筐体の上端部を前記固定筐体後部によって規定された面の方に移動させるように構成され、第２の方向に移動する場合には、前記移動筐体の上端部を前記固定筐体後部によって規定された面から離れるように移動させるよう構成された上部ライザーと、
前記上部ライザーを前記第１および第２の方向に移動させるように構成された上部ライザー調整部材と、
前記取付板を前記移動筐体に対して上下に移動させるように構成された取付板調整部材と、
下部ライザーであって、第３の方向に移動する場合には、前記移動筐体の下端部を前記固定筐体後部によって規定された面の方に移動させるように構成され、前記第４の方向に移動する場合には、前記移動筐体の下端部を前記固定筐体後部によって規定された面から離れるように移動させるよう構成された下部ライザーと、
前記下部ライザーを前記第３および第４の方向に移動させるように構成された下部ライザー調整部材と、
前記取付板を前記移動筐体に対して上下に移動させるよう構成された取付板調整部材と
を備えることを特徴とする装置。
【請求項１２】
請求項１１に記載の装置において、前記取付板が、前記取付板から延在し前記壁パネルに係合するよう構成された１以上のフック型の取付ブラケットを備えることを特徴とする装置。
【請求項１３】
請求項１２に記載の装置において、前記１以上のフック型の取付ブラケットは、一対の取付ブラケットを備えることを特徴とする装置。
【請求項１４】
請求項１１に記載の装置において、前記固定筐体は、両方の固定筐体側部から延在するフランジを備え、当該フランジは前記固定筐体を前記壁枠に取り付けやすくするための穴を備えることを特徴とする装置。
【請求項１５】
請求項１１に記載の装置において、前記移動筐体は上端部の第１のエンドプレートおよび下端部の第２のエンドプレートを備え、前記上部ライザー調整部材は前記第１のエンドプレートのねじなし穴を貫通して前記上部ライザーと係合し、前記下部ライザー調整部材は前記第２のエンドプレートのねじなし穴を貫通して前記下部ライザーと係合することを特徴とする装置。